(57)【要約】【課題】撮影時のＸ線条件や撮影対象部位によらず、撮影時に最適位置へＸ線補償フィルタを自動挿入することができ、診断に有用な撮影画像が得られるＸ線画像診断装置を提供する。【解決手段】上記課題は、操作卓１０からの透視終了信号が入力されると画像記憶手段６に記憶されている最新透視画像データに基づいてＸ線補償フィルタ４の制御が行われた後に透視Ｘ線照射の終了ならびに撮影Ｘ線照射開始の制御をＸ線発生部制御手段３に対して行う撮影開始タイミング制御手段１１と、予め操作卓より入力されている撮影対象部位情報や操作卓１０からの透視終了信号入力時にＸ線発生部２より得られる透視Ｘ線条件に基づいてＸ線補償フィルタ４の挿入位置を調整するための補正パラメータを挿入位置算出手段７に与える挿入位置補正手段１２とを備えることによって解決される。【選択図】      図１
2005000271.tif 000002
【特許請求の範囲】
【請求項１】
被検体にＸ線を照射するＸ線発生部と、このＸ線発生部に与える条件を制御するＸ線発生部制御手段と、前記Ｘ線発生部の前面に配置され被検体に照射されるＸ線を減衰させるＸ線補償フィルタと、前記被検体を間に挟んでＸ線発生部と対向配置され被検体からの透過Ｘ線像を画像データとして出力するＸ線検出器と、このＸ線検出器から出力される画像データを記憶する画像記憶手段と、この画像記憶手段に記憶されている画像データを読み出してＸ線補償フィルタの挿入位置を算出する挿入位置算出手段と、この挿入位置算出手段によって算出された位置へＸ線補償フィルタを挿入制御するフィルタ制御手段と、前記画像記憶手段に記憶されている画像データを表示する画像表示手段と、操作者からの各種情報を入力する操作卓とを備えてなるＸ線画像診断装置において、前記操作卓からの透視終了信号が入力されると前記画像記憶手段に記憶されている最新透視画像データに基づいて前記Ｘ線補償フィルタの制御が行われた後に透視Ｘ線照射の終了ならびに撮影Ｘ線照射開始の制御を前記Ｘ線発生部制御手段に対して行う撮影開始タイミング制御手段と、予め前記操作卓より入力されている撮影対象部位情報や前記操作卓からの透視終了信号入力時に前記Ｘ線発生部より得られる透視Ｘ線条件に基づいて前記Ｘ線補償フィルタの挿入位置を調整するための補正パラメータを前記挿入位置算出手段に与える挿入位置補正手段とを備えたことを特徴とするＸ線画像診断装置。
【発明の詳細な説明】
【０００１】
【発明の属する技術分野】
本発明は、透視画像から算出される位置にＸ線補償フィルタを自動挿入させることが可能なＸ線画像診断装置に係り、特に撮影時の最適位置へもＸ線補償フィルタを自動挿入可能としたＸ線画像診断装置に関する。
【０００２】
【従来の技術】
従来のこの種のＸ線画像診断装置は、［特許文献１］に開示しているように、操作卓からの透視終了信号入力後に透視画像データを透視画像記憶装置に格納させ、その透視画像データ格納後に透視を終了させる透視画像制御手段を設け、その格納された透視終了直前の透視画像データにより撮影時のＸ線補償フィルタの位置算出を行わせ、その位置に濃度補償フィルタを自動挿入させるようにする。これにより透視画像から算出された位置に濃度補償フィルタを自動挿入可能の放射線画像診断装置において、撮影時には常に最適位置へ濃度補償フィルタを自動挿入するようにし、撮影画像が露光過多になったり、露光不足になったりすることをなくし、良好な撮影画像を得る。
【０００３】
【特許文献１】
特開平９−３０７８１４号公報
【０００４】
【発明が解決しようとする課題】
しかしながら、上記従来技術では、制御対象となるＸ線補償フィルタの端部形状が楔形になっており、撮影部位によってＸ線補償フィルタの挿入位置を調整する必要があるという問題があった。
例えば、心カテ検査では心縁ぎりぎりにＸ線補償フィルタを挿入させる必要があるが、頭部等は頭部外とのコントラスト差が大きい為Ｘ線補償フィルタを深く挿入させる必要があった。
また、同一部位であっても被検体厚等によって透視条件が変わるとエネルギー吸収の差によりＸ線補償フィルタの挿入領域を調整する必要があった。
【０００５】
本発明の目的は、撮影時のＸ線条件や撮影対象部位によらず、撮影時に最適位置へＸ線補償フィルタを自動挿入することができ、診断に有用な撮影画像が得られるＸ線画像診断装置を提供することにある。
【０００６】
【課題を解決するための手段】
上記目的は、被検体にＸ線を照射するＸ線発生部と、このＸ線発生部に与える条件を制御するＸ線発生部制御手段と、前記Ｘ線発生部の前面に配置され被検体に照射されるＸ線を減衰させるＸ線補償フィルタと、前記被検体を間に挟んでＸ線発生部と対向配置され被検体からの透過Ｘ線像を画像データとして出力するＸ線検出器と、このＸ線検出器から出力される画像データを記憶する画像記憶手段と、この画像記憶手段に記憶されている画像データを読み出してＸ線補償フィルタの挿入位置を算出する挿入位置算出手段と、この挿入位置算出手段によって算出された位置へＸ線補償フィルタを挿入制御するフィルタ制御手段と、前記画像記憶手段に記憶されている画像データを表示する画像表示手段と、操作者からの各種情報を入力する操作卓とを備えてなるＸ線画像診断装置において、前記操作卓からの透視終了信号が入力されると前記画像記憶手段に記憶されている最新透視画像データに基づいて前記Ｘ線補償フィルタの制御が行われた後に透視Ｘ線照射の終了ならびに撮影Ｘ線照射開始の制御を前記Ｘ線発生部制御手段に対して行う撮影開始タイミング制御手段と、予め前記操作卓より入力されている撮影対象部位情報や前記操作卓からの透視終了信号入力時に前記Ｘ線発生部より得られる透視Ｘ線条件に基づいて前記Ｘ線補償フィルタの挿入位置を調整するための補正パラメータを前記挿入位置算出手段に与える挿入位置補正手段とを設けることにより達成される。
【０００７】
【発明の実施の形態】
本発明のＸ線画像診断装置の実施形態について、以下図面を用いて詳細に説明する。
図１は、本発明のＸ線画像診断装置の実施形態の概略構成を示す模式図である。図１において、本発明のＸ線画像診断装置は、被検体１にＸ線を照射するＸ線発生部２と、このＸ線発生部２に与える条件を制御するＸ線発生部制御手段３と、前記Ｘ線発生部２の前面に配置され被検体１に照射されるＸ線を減衰させるＸ線補償フィルタ４と、前記被検体１を間に挟んでＸ線発生部２と対向配置され被検体１からの透過Ｘ線像を画像データとして出力するＸ線検出器５と、このＸ線検出器５から出力される画像データを記憶する画像記憶手段６と、この画像記憶手段６に記憶されている画像データを読み出してＸ線補償フィルタ４の挿入位置を算出する挿入位置算出手段７と、この挿入位置算出手段７によって算出された位置へＸ線補償フィルタ４を挿入制御するフィルタ制御手段８と、前記画像記憶手段６に記憶されている画像データを表示する画像表示手段９と、操作者からの各種情報を入力する操作卓１０、前記操作卓１０からの透視終了信号が入力されると前記画像記憶手段６に記憶されている最新透視画像データに基づいて前記Ｘ線補償フィルタ４の制御が行われた後に透視Ｘ線照射の終了ならびに撮影Ｘ線照射開始の制御を前記Ｘ線発生部制御手段３に対して行う撮影開始タイミング制御手段１１と、予め前記操作卓１０より入力されている撮影対象部位情報や前記操作卓１０からの透視終了信号入力時に前記Ｘ線発生部２より得られる透視Ｘ線条件に基づいて前記Ｘ線補償フィルタ４の挿入位置を調整するための補正パラメータを前記挿入位置算出手段７に与える挿入位置補正手段１２を備えている。
【０００８】
図２は、前記Ｘ補償フィルタ４の構成の一例を示す模式図である。Ｘ線補償フィルタ４は、例えば図２に示すように、図面左方に位置するＬ部、右方に位置するＲ部からなる２枚の羽根で構成され、各羽根Ｌ、Ｒは、図中斜線で示される透視画像領域２１内で、前後、左右に平行移動するか、あるいは回転移動して２枚の羽根の透視画像内への挿入位置が調整される。
【０００９】
次に、本発明の実施形態におけるＸ線画像診断装置の動作について説明する。Ｘ線発生部２より被検体１へ照射されたＸ線は、被検体１を透過した後、Ｘ線検出器５より画像データとして出力され、画像記憶手段６に記憶される。挿入位置算出手段７は、画像記憶手段６に記憶されている画像データに基づき、Ｘ線補償フィルタ４の挿入位置を算出する。フィルタ制御手段８は、挿入位置算出手段７にて算出された位置へＸ線補償フィルタ４を挿入制御する。以上の動作は、操作卓１０より透視Ｘ線照射信号が入力されている間、繰り返し行われる。ここで、操作卓１０より透視Ｘ線終了信号が入力されると、撮影開始タイミング制御手段１１は、Ｘ線発生部制御手段３を撮影Ｘ線照射開始待ちの状態とする。Ｘ線検出器５から出力される画像データが画像記憶手段６に記憶され、その後画像記憶手段６に記憶されている画像データに基づいてＸ線補償フィルタ４が挿入制御され、フィルタ制御手段８より撮影開始タイミング制御手段１１にＸ線補償フィルタ４の挿入制御完了信号が入力されると、撮影開始タイミング制御手段１１は、Ｘ線発生部制御手段３からの撮影Ｘ線の照射を開始させる。
【００１０】
図３は、操作卓１０より透視Ｘ線終了信号が入力されてから撮影が開始されるまでの動作をタイミングチャートとして示した図である。図３において、Ｄｔは透視Ｘ線終了信号が入力されてから撮影が開始されるまでの時間で、撮影開始はＸ線補償フィルタ４の挿入制御終了後、フィルタ制御手段８からのフィルタ挿入制御完了信号にて行われる。
【００１１】
更に、この撮影開始直前のＸ線補償フィルタ４の制御の際には、予め操作卓１０より入力されている撮影部位情報や透視Ｘ線条件に基づいて挿入位置補正手段１２にてＸ線補償フィルタ４の挿入位置を調整するための補正パラメータが算出される。図４は、透視Ｘ線条件、特に管電圧を変えた場合に被検体１の厚さに対してどのように出力値が変化するかを模式的に表した図で、管電圧が高い順に、管電圧ａ、管電圧ｂ、管電圧ｃとなっている。図４に示すように、例えば同一な被検体厚であっても、透視Ｘ線条件の管電圧が高い場合には画像記憶手段６に記憶されている画像データの値も高くなるため、挿入位置算出手段７で算出されたＸ線補償フィルタ４の挿入位置より挿入されるよう補正パラメータを、逆に透視Ｘ線条件の管電圧が低い場合には挿入位置算出手段７で算出された挿入位置より退避するような補正パラメータを挿入位置補正手段１２にて算出し、フィルタ制御手段８へ送る。フィルタ制御手段８は、挿入位置補正手段１２より送られてきた位置に基づいてＸ線補償フィルタ４の挿入位置を調整する。
【００１２】
上記Ｘ線補償フィルタの調整例では、透視Ｘ線条件の管電圧に応じたＸ線補償フィルタ４の挿入位置の調整について述べたが、管電流など、他の透視Ｘ線条件や撮影対象となる部位に関しても同様なＸ線補償フィルタ４の挿入位置の調整が必要であり、その調整量については予め挿入位置補正手段１２に設定されているものとする。
【００１３】
【発明の効果】
以上説明したごとく、本発明によれば、撮影時のＸ線条件や撮影対象部位によらず、撮影時に最適位置へＸ線補償フィルタを自動挿入することができ、診断に有用な撮影画像が得られるＸ線画像診断装置を提供することができる。
【図面の簡単な説明】
【図１】本発明のＸ線画像診断装置の実施形態の概略構成を示す模式図。
【図２】図１のＸ補償フィルタ４の構成の一例を示す模式図。
【図３】図１の操作卓１０より透視Ｘ線終了信号が入力されてから撮影が開始されるまでの動作をタイミングチャートとして示した図。
【図４】透視Ｘ線条件、特に管電圧を変えた場合に被検体１の厚さに対してどのように出力値が変化するかを模式的に表した図。
【符号の説明】
１      被検体
２      Ｘ線発生部
３      Ｘ線発生部制御手段
４      Ｘ線補償フィルタ
５      Ｘ線検出器
６      画像記憶手段
７      挿入位置算出手段
８      フィルタ制御手段
９      画像表示手段
１０    操作卓
１１    撮影開始タイミング制御手段
１２    挿入位置補正手段
２１    透視画像領域
【図１】
2005000271.tif 000003
【図２】
2005000271.tif 000004
【図３】
2005000271.tif 000005
【図４】
2005000271.tif 000006